(57)【要約】【課題】第１の台紙上に貼り付けられた付箋を、他の台紙上に貼り付けられている付箋として見せることができる情報処理装置を提供する。【解決手段】情報処理装置の提示手段は、第１の台紙上の付箋と第２の台紙上の付箋の関係を規定している規則にしたがって、該第１の台紙に貼り付けられている付箋を該第２の台紙上で提示する。【選択図】図１
2018180800.tif 000002
【特許請求の範囲】
【請求項１】
第１の台紙上の付箋と第２の台紙上の付箋の関係を規定している規則にしたがって、該第１の台紙に貼り付けられている付箋を該第２の台紙上で提示する提示手段
を有している情報処理装置。
【請求項２】
前記規則を、前記第１の台紙の雛型における凡例と前記第２の台紙の雛型における凡例に対する操作によって設定する設定手段
をさらに有する請求項１に記載の情報処理装置。
【請求項３】
前記凡例として付箋の凡例が用いられ、
前記設定手段は、台紙間における凡例同士の接続によって、前記第２の台紙上で提示すべき前記第１の台紙上での付箋を指定する、
請求項２に記載の情報処理装置。
【請求項４】
前記第２の台紙を、担当者毎にしなければならないことを管理する台紙とし、
前記第１の台紙上に貼り付けられた付箋のうち、行動を示す第１の付箋を、前記第２の台紙上に、行わなければならない作業を示す第２の付箋とし、
前記第２の付箋に対応して、前記第２の台紙上で、担当者を示す付箋と期日を示す付箋を生成する生成手段
をさらに有する請求項１に記載の情報処理装置。
【請求項５】
前記第２の付箋、担当者を示す付箋、期日を示す付箋を組として管理する組管理手段
をさらに有する請求項４に記載の情報処理装置。
【請求項６】
コンピュータを、
第１の台紙上の付箋と第２の台紙上の付箋の関係を規定している規則にしたがって、該第１の台紙に貼り付けられている付箋を該第２の台紙上で提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、電子ファイルとの関係を明確にして電子付箋を作成し、利便性のよい電子付箋の貼り付けを実現することを課題とし、起動中のアプリケーション、又はこのアプリケーションで開かれているファイルに電子付箋を貼り付けするシステムにおいて、システムフックを使用して、起動中のアプリケーションがウィンドウメッセージを受け取り時に、アプリケーション又は関連する該ファイルの識別情報を取得して電子付箋の対象リストを生成し、これにより任意のアプリケーション又は関連する該ファイルの識別情報を含む電子付箋を作成し保存し、電子付箋の貼り替えに際しては、ファイルの表示、非表示に連動した電子付箋の表示、非表示を可能とすることが開示されている。
【０００３】
特許文献２には、ウェブページのコンテンツのレイアウトや構造の変化に追随して電子付箋の表示位置を変えることを課題とし、コンピュータに、電子付箋の貼り付けが指定されたウェブページのコンテンツの場所を示す位置情報を基に前記ウェブページの中から前記電子付箋の貼り付け場所に最も類似する場所を推定するステップと、前記推定された場所に前記電子付箋が表示されるように前記ウェブページのソースを書き換えるステップと、を実行させるための電子付箋生成表示プログラムであって、前記位置情報は、前記電子付箋の貼り付けが指定されたコンテンツの場所のタグ、属性、及びタグ内の内容を含み、前記電子付箋の貼り付け場所に最も類似する場所は、前記タグ、前記属性、及び前記タグ内の内容の一致数が最大となる場所であることが開示されている。
【先行技術文献】
【特許文献】
【０００４】
【特許文献１】特開２０１０−０６６８６８号公報
【特許文献２】特許第５７０４５０８号公報
【発明の概要】
【発明が解決しようとする課題】
【０００５】
会合において、台紙に付箋を貼り付ける作業が行われている。
ところで、第１の台紙上に貼り付けられた付箋を、他の用途に用いられる第２の台紙上の付箋とすることが必要となる場合がある。
本発明は、第１の台紙上に貼り付けられた付箋を、他の台紙上に貼り付けられている付箋として見せることができる情報処理装置及び情報処理プログラムを提供することを目的としている。
【課題を解決するための手段】
【０００６】
かかる目的を達成するための本発明の要旨とするところは、次の各項の発明に存する。
請求項１の発明は、第１の台紙上の付箋と第２の台紙上の付箋の関係を規定している規則にしたがって、該第１の台紙に貼り付けられている付箋を該第２の台紙上で提示する提示手段を有している情報処理装置である。
【０００７】
請求項２の発明は、前記規則を、前記第１の台紙の雛型における凡例と前記第２の台紙の雛型における凡例に対する操作によって設定する設定手段をさらに有する請求項１に記載の情報処理装置である。
【０００８】
請求項３の発明は、前記凡例として付箋の凡例が用いられ、前記設定手段は、台紙間における凡例同士の接続によって、前記第２の台紙上で提示すべき前記第１の台紙上での付箋を指定する、請求項２に記載の情報処理装置である。
【０００９】
請求項４の発明は、前記第２の台紙を、担当者毎にしなければならないことを管理する台紙とし、前記第１の台紙上に貼り付けられた付箋のうち、行動を示す第１の付箋を、前記第２の台紙上に、行わなければならない作業を示す第２の付箋とし、前記第２の付箋に対応して、前記第２の台紙上で、担当者を示す付箋と期日を示す付箋を生成する生成手段をさらに有する請求項１に記載の情報処理装置である。
【００１０】
請求項５の発明は、前記第２の付箋、担当者を示す付箋、期日を示す付箋を組として管理する組管理手段をさらに有する請求項４に記載の情報処理装置である。
【００１１】
請求項６の発明は、コンピュータを、第１の台紙上の付箋と第２の台紙上の付箋の関係を規定している規則にしたがって、該第１の台紙に貼り付けられている付箋を該第２の台紙上で提示する提示手段として機能させるための情報処理プログラムである。
【発明の効果】
【００１２】
請求項１の情報処理装置によれば、第１の台紙上に貼り付けられた付箋を、他の台紙上に貼り付けられている付箋として見せることができる。
【００１３】
請求項２の情報処理装置によれば、第１の台紙の雛型における凡例と第２の台紙の雛型における凡例に対する操作によって、規則を設定することができる。
【００１４】
請求項３の情報処理装置によれば、台紙間における凡例同士の接続によって、第２の台紙上で提示すべき第１の台紙上での付箋を指定することができる。
【００１５】
請求項４の情報処理装置によれば、第２の台紙を、担当者毎にしなければならないことを管理する台紙とし、必要な付箋を生成することができる。
【００１６】
請求項５の情報処理装置によれば、第２の付箋、担当者を示す付箋、期日を示す付箋を組として管理することができる。
【００１７】
請求項６の情報処理プログラムによれば、第１の台紙上に貼り付けられた付箋を、他の台紙上に貼り付けられている付箋として見せることができる。
【図面の簡単な説明】
【００１８】
【図１】本実施の形態の構成例についての概念的なモジュール構成図である。
【図２】本実施の形態を利用したシステム構成例を示す説明図である。
【図３】本実施の形態が使用される会議室等において、電子付箋端末、電子付箋制御装置の使用例を示す説明図である。
【図４】付箋情報テーブルのデータ構造例を示す説明図である。
【図５】属性情報テーブルのデータ構造例を示す説明図である。
【図６】台紙情報テーブルのデータ構造例を示す説明図である。
【図７】台紙内ＴｏＤｏ情報管理テーブルのデータ構造例を示す説明図である。
【図８】規則テーブルのデータ構造例を示す説明図である。
【図９】本実施の形態による処理例を示すフローチャートである。
【図１０】凡例カップル欄内のデータ例を示す説明図である。
【図１１】本実施の形態による処理例を示すフローチャートである。
【図１２】本実施の形態による処理例を示すフローチャートである。
【図１３】本実施の形態による処理例を示すフローチャートである。
【図１４】本実施の形態による処理例を示す説明図である。
【図１５】本実施の形態による処理例を示す説明図である。
【図１６】本実施の形態による処理例を示す説明図である。
【図１７】本実施の形態による処理例を示す説明図である。
【図１８】本実施の形態を実現するコンピュータのハードウェア構成例を示すブロック図である。
【発明を実施するための形態】
【００１９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２０】
本実施の形態である電子付箋制御装置１００は、会合において用いられる台紙と付箋（電子付箋、電子カード等ともいわれる）に関する処理を行うものであって、図１の例に示すように、台紙テンプレート記憶モジュール１０５、規則設定モジュール１１０、台紙間関係規則記憶モジュール１１５、付箋・台紙処理モジュール１２０、台紙記憶モジュール１４５、付箋記憶モジュール１５０を有している。なお、会合は、複数人が集まって話し合うことであればよく、例えば、会議、ワークショップ、アイデア抽出会、検討会、相談、議論、集会、ミーティング等を含む。本実施の形態は、電子的な付箋と台紙を利用した電子付箋システム（電子白板等ともいわれる）にかかるものである。
電子付箋制御装置１００は、具体的には、付箋を用いて、ファシリテーター（一般的には１人）と複数人の参加者によって行われる会合で利用される。参加者は参加者用端末としての電子付箋端末２５０を用いて、アイデア、行動等が記載された付箋を作成する。一般的に、図３の例に示すように、電子付箋端末２５０として、各参加者が所持する電子付箋端末２５０Ａ、電子付箋端末２５０Ｂ等（以下、代表して電子付箋端末２５０という）のように複数ある。そして、電子付箋制御装置１００は、電子付箋端末２５０から付箋を受け取って、台紙（又は背景）上にその付箋を貼り付ける。ファシリテーターは電子付箋制御装置１００の表示装置である共有画面を用いて、その台紙上で、付箋の位置を決定又は変更したり、付箋をまとめたり（付箋Ａと付箋Ｂを関連付けること、グループ形成等ともいわれる）、自らも付箋情報の作成等を行って、その会合を進行させる。なお、本実施の形態において、参加者には、ファシリテーターを含む。
【００２１】
まず、台紙を用いた作業について説明する。なお、この説明は、本実施の形態の理解を容易にすることを目的とするものである。
本実施の形態の電子付箋制御装置１００は、特に、付箋をプロジェクトでのタスク管理システム（プロジェクトポータル、ＴｏＤｏ管理、スケジュール管理ともいわれる）、又は個人のタスク管理システム等で使用する場合に用いられる。このタスク管理システムにおいても台紙が用いられる（「台紙を用いてタスク管理を行うことができる」と言ってもよい）。
例えば、電子付箋システムを用いた課題解決会合において、現状を分析し（「事実」付箋の作成に該当）、その現状に対して本来の期待すべきことを抽出し（「想い」付箋の作成に該当）、そのための行動を決定する（「行動」付箋の作成に該当）ことが行われる。この結果を現実に反映させるために、タスク管理においても台紙上で、ＴｏＤｏ付箋（「アクション」付箋、「担当」付箋、「期日」付箋の組）を作成する必要がある。ここで、「行動」付箋は、「アクション」付箋に対応する。したがって、最初の台紙での「行動」付箋を、次の台紙（タスク管理における台紙）では、「アクション」付箋として見せることができれば、タスク管理における台紙で、新たに「アクション」付箋を作成する必要がなくなり、写し間違いも発生しない。いわば、電子付箋制御装置１００は、付箋データベース内の付箋データを異なるビュー（異なる台紙上に貼り付けること）で閲覧することを実現する。そのために、複数の台紙上の付箋間の関係を規定している規則を用いるようにしている。
【００２２】
第２の台紙を、担当者毎にしなければならないことを管理する台紙としてもよい。例えば、前述のタスク管理システムにおける台紙が該当する。なお、第１の台紙は、行動を示す付箋が貼り付けられている台紙であればよく、その種類は問わない。例えば、前述の課題解決会合における台紙が該当する。
第１の台紙上に貼り付けられた付箋のうち、行動を示す第１の付箋を、第２の台紙上に、行わなければならない作業を示す第２の付箋としてもよい。
【００２３】
付箋・台紙処理モジュール１２０は、台紙生成モジュール１２５、付箋生成モジュール１３０、規則適用モジュール１３５、提示モジュール１４０を有している。付箋・台紙処理モジュール１２０は、電子付箋システムにおける台紙、付箋に対しての処理を行う。例えば、台紙の生成、その台紙上に貼り付ける付箋の生成等を行う。
【００２４】
付箋生成モジュール１３０は、付箋記憶モジュール１５０と接続されている。付箋生成モジュール１３０は、台紙上に貼り付ける付箋を生成する。ユーザーの操作に応じて、付箋（一般的な付箋）を生成してもよいし、以下に示すように、規則（規則テーブル８００）にしたがって付箋を生成してもよい。後者の例として、図１５（ｃ）に示すように、「想い」付箋１５５６に対応する「目的」付箋１５７２を生成し、「行動」付箋１５５８に対応する「アクション」付箋１５７４を生成し、「想い」付箋１５６４に対応する「目的」付箋１５８２を生成し、「行動」付箋１５６６に対応する「アクション」付箋１５８４を生成する。
【００２５】
付箋生成モジュール１３０は、第２の付箋に対応して、第２の台紙上で、担当者を示す付箋と期日を示す付箋を生成するようにしてもよい。さらに、作業の状況（進捗状況、ステータス）を示す付箋を生成してもよい。
また、付箋生成モジュール１３０は、（１）第２の付箋、（２）担当者を示す付箋、（３）期日を示す付箋（３つの付箋）を組として管理するようにしてもよい。ここで「第２の付箋」は、行わなければならない作業を示す付箋であって、「担当者を示す付箋」は、その作業を担当する者を示す付箋であって、「期日を示す付箋」は、その作業の期日（締め切り）を示す付箋である。「期日」は、年、月、日、時、分、秒、秒以下、又はこれらの組み合わせであってもよい。また「組として管理」として、３つの付箋を１つのまとまりとして扱うものであって、３つの付箋は互いに関連しており（「担当者を示す付箋」は「第２の付箋」に記載された作業の担当者が記載されており、「期日を示す付箋」は「第２の付箋」に記載された作業の期日が記載されている）、例えば、前述したグループ形成が該当する。なお、組に、「第２の付箋」に記載された作業の目的を示す付箋を加えてもよい。さらに、組に、「第２の付箋」に記載された作業の状況を示す付箋を加えてもよい。
【００２６】
付箋記憶モジュール１５０は、付箋・台紙処理モジュール１２０の付箋生成モジュール１３０と接続されている。付箋記憶モジュール１５０は、付箋生成モジュール１３０からアクセスされ、付箋生成モジュール１３０によって生成された付箋に関する情報を記憶している。例えば、付箋情報テーブル４００、属性情報テーブル５００を記憶している。
【００２７】
図４は、付箋情報テーブル４００のデータ構造例を示す説明図である。付箋情報テーブル４００は、付箋ＩＤ欄４０５、台紙ＩＤ欄４１０、貼付位置欄４１５、サイズ欄４２０、作成日時欄４２５、作成者欄４３０、貼付日時欄４３５、色欄４４０、枠線形状欄４４５、枠線色欄４５０、枠線太さ欄４５５、所属グループ欄４６０、内容種別欄４６５、内容欄４７０、関連台紙数欄４７５、関連台紙ＩＤ欄４８０、属性ＩＤ欄４８５等を有しており、貼付位置欄４１５は、Ｘ座標欄４１６、Ｙ座標欄４１７を有している。付箋ＩＤ欄４０５は、付箋を、本実施の形態において一意に識別するための情報（付箋ＩＤ：ＩＤｅｎｔｉｆｉｃａｔｉｏｎ）を記憶している。台紙ＩＤ欄は、本実施の形態において、台紙を一意に識別するための情報（台紙ＩＤ）を記憶している。この台紙ＩＤは、付箋ＩＤ欄４０５の付箋が貼り付けられている台紙を示す台紙ＩＤである。貼付位置欄４１５は、その付箋が貼り付けられる位置を記憶している。つまり、台紙上の貼り付け位置を記憶している。例えば、台紙のＸＹ座標系における座標である。Ｘ座標欄４１６は、Ｘ座標を記憶している。Ｙ座標欄４１７は、Ｙ座標を記憶している。サイズ欄４２０は、その付箋のサイズを記憶している。例えば、表示する付箋が矩形である場合は、幅と高さを記憶している。作成日時欄４２５は、その付箋が作成された日時（年、月、日、時、分、秒、秒以下、又はこれらの組み合わせであってもよい）を記憶している。作成者欄４３０は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄４３５は、その付箋が台紙に貼り付けられた日時を記憶している。色欄４４０は、その付箋の表示色を記憶している。枠線形状欄４４５は、その付箋の表示における枠線の形状（実線、点線、破線、波線、二重線等）を記憶している。枠線色欄４５０は、その付箋の表示における枠線の色を記憶している。枠線太さ欄４５５は、その付箋の表示における枠線の太さを記憶している。所属グループ欄４６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。内容種別欄４６５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄４７０は、その付箋に書き込まれている内容を記憶している。関連台紙数欄４７５は、関連する台紙数を記憶している。関連台紙数欄４７５内の数だけ、関連台紙ＩＤ欄４８０と属性ＩＤ欄４８５の組が関連台紙数欄４７５以降に続く。関連台紙ＩＤ欄４８０は、関連する台紙（第１の台紙又は第２の台紙）の台紙ＩＤを記憶している。属性ＩＤ欄４８５は、本実施の形態において、関連する台紙における、その付箋の属性を一意に識別するための情報（属性ＩＤ）を記憶している。属性ＩＤは、属性情報テーブル５００を指し示すものである。同じ付箋であっても、台紙が異なると、異なる形態（属性）で提示されることがあるためである。
【００２８】
図５は、属性情報テーブル５００のデータ構造例を示す説明図である。属性情報テーブル５００は、属性ＩＤ欄５１０、貼付位置欄５１５、サイズ欄５２０、作成日時欄５２５、作成者欄５３０、貼付日時欄５３５、色欄５４０、枠線形状欄５４５、枠線色欄５５０、枠線太さ欄５５５、所属グループ欄５６０を有しており、貼付位置欄５１５は、Ｘ座標欄５１６、Ｙ座標欄５１７を有している。属性ＩＤ欄５１０は、属性ＩＤを記憶している。貼付位置欄５１５は、その付箋が貼り付けられる関連台紙上での位置を記憶している。Ｘ座標欄５１６は、Ｘ座標を記憶している。Ｙ座標欄５１７は、Ｙ座標を記憶している。サイズ欄５２０は、その付箋のサイズを記憶している。作成日時欄５２５は、その付箋が作成された日時（年、月、日、時、分、秒、秒以下、又はこれらの組み合わせであってもよい）を記憶している。作成者欄５３０は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄５３５は、その付箋が台紙に貼り付けられた日時を記憶している。色欄５４０は、その付箋の表示色を記憶している。枠線形状欄５４５は、その付箋の表示における枠線の形状（実線、点線、破線、波線、二重線等）を記憶している。枠線色欄５５０は、その付箋の表示における枠線の色を記憶している。枠線太さ欄５５５は、その付箋の表示における枠線の太さを記憶している。所属グループ欄５６０は、その付箋が所属しているグループに関する情報を記憶している。
【００２９】
台紙テンプレート記憶モジュール１０５は、規則設定モジュール１１０、付箋・台紙処理モジュール１２０の台紙生成モジュール１２５と接続されている。台紙テンプレート記憶モジュール１０５は、規則設定モジュール１１０、台紙生成モジュール１２５からアクセスされ、台紙の雛型を記憶している。具体的には、台紙としての背景（例えば、白紙、罫線、４象限マトリックス、スケジュール図、ＴｏＤｏチェックリスト図等）、凡例等に関する情報を管理している。
【００３０】
ここで凡例について説明する。
共同作業しているメンバー（会合の参加者）に付箋の使い方を周知してもらうために、台紙に凡例を記載することがある。凡例とは、台紙の中で用いられている、付箋の形態（形状、模様、色彩、点滅（点滅における変更対象は、点滅を行うか否か、点滅を行っている期間、点滅の間隔等がある）、又は、これらの組み合わせであってもよい）について、それが何を意味するかを説明した記述である。例えば、付箋の形態として色彩を用いた場合、黄色の付箋には「特徴」を記載すること、青色の付箋には「利点」を記載すること、赤色の付箋には「課題」を記載することのように、その台紙において、付箋の色彩について定められた規則である。ここでは例として、色彩を用いたが、形状、模様、点滅等を対象として凡例を作成してもよい。
【００３１】
台紙生成モジュール１２５は、台紙テンプレート記憶モジュール１０５、台紙記憶モジュール１４５と接続されている。台紙生成モジュール１２５は、台紙テンプレート記憶モジュール１０５内の台紙の雛型を選択して、会合で用いる台紙を生成する。複数の台紙を生成してもよい。例えば、台紙生成モジュール１２５は、第１の台紙、第２の台紙を生成する。
台紙記憶モジュール１４５は、付箋・台紙処理モジュール１２０の台紙生成モジュール１２５と接続されている。台紙記憶モジュール１４５は、台紙生成モジュール１２５からアクセスされ、台紙生成モジュール１２５によって生成された台紙に関する情報を記憶している。例えば、台紙情報テーブル６００、台紙内ＴｏＤｏ情報管理テーブル７００を記憶している。
【００３２】
図６は、台紙情報テーブル６００のデータ構造例を示す説明図である。台紙情報テーブル６００は、台紙ＩＤ欄６０５、台紙パターンＩＤ欄６１０、作成日時欄６１５、作成者欄６２０、名前欄６２５、目的欄６３０、手法欄６３５、凡例数欄６４０、凡例付箋ＩＤ欄６４５、付箋数欄６５０、付箋ＩＤ欄６５５を有している。台紙ＩＤ欄６０５は、台紙ＩＤを記憶している。台紙パターンＩＤ欄６１０は、背景となる台紙パターンＩＤを記憶している。例えば、白紙のパターン、罫線パターン、４象限マトリックスのパターン、スケジュール図のパターン、ＴｏＤｏチェックリスト図のパターン、表形式のパターン、凡例用付箋毎に付箋の貼り付け領域を有するパターン等がある。作成日時欄６１５は、その台紙の作成日時を記憶している。作成者欄６２０は、その台紙の作成者を記憶している。名前欄６２５は、その台紙の名前を記憶している。目的欄６３０は、その台紙を用いる目的を記憶している。手法欄６３５は、その台紙で用いられる会合の手法を記憶している。凡例数欄６４０は、その台紙における凡例数を記憶している。凡例数欄６４０内の数だけ凡例付箋ＩＤ欄６４５が凡例数欄６４０以降に続く。凡例付箋ＩＤ欄６４５は、本実施の形態において、凡例付箋を一意に識別するための情報（凡例付箋ＩＤ）を記憶している。付箋数欄６５０は、その台紙に貼り付けられている付箋数を記憶している。付箋数欄６５０内の数だけ付箋ＩＤ欄６５５が付箋数欄６５０以降に続く。付箋ＩＤ欄６５５は、その台紙に貼り付けられている付箋の付箋ＩＤを記憶している。
【００３３】
図７は、台紙内ＴｏＤｏ情報管理テーブル７００のデータ構造例を示す説明図である。台紙内ＴｏＤｏ情報管理テーブル７００は、第２の台紙に対応しており、目的付箋ＩＤ欄７１０〜ステータス付箋ＩＤ欄７３０内の値は、属性情報テーブル５００の属性ＩＤ欄５１０に対応する。
台紙内ＴｏＤｏ情報管理テーブル７００は、台紙内ＴｏＤｏＩＤ欄７０５、目的付箋ＩＤ欄７１０、アクション付箋ＩＤ欄７１５、担当付箋ＩＤ欄７２０、期日付箋ＩＤ欄７２５、ステータス付箋ＩＤ欄７３０を有している。台紙内ＴｏＤｏＩＤ欄７０５は、台紙内で定義されているＴｏＤｏ付箋の組の組ＩＤを記憶している。目的付箋ＩＤ欄７１０は、目的付箋の付箋ＩＤを記憶している。アクション付箋ＩＤ欄７１５は、アクション付箋の付箋ＩＤを記憶している。担当付箋ＩＤ欄７２０は、担当付箋の付箋ＩＤを記憶している。期日付箋ＩＤ欄７２５は、期日付箋の付箋ＩＤを記憶している。ステータス付箋ＩＤ欄７３０は、ステータス付箋の付箋ＩＤを記憶している。
具体的には、目的付箋ＩＤ欄７１０、アクション付箋ＩＤ欄７１５は、他の台紙（第１の台紙）に貼り付けられている付箋の付箋ＩＤが記憶される。例えば、図１５を用いて後述するように、目的付箋ＩＤ欄７１０には「想い」付箋１５５６の付箋ＩＤ、アクション付箋ＩＤ欄７１５には「行動」付箋１５５８の付箋ＩＤが記憶される。
なお、「想い」付箋１５５６と「目的」付箋１５７２は実質的に同じであり、「行動」付箋１５５８と「アクション」付箋１５７４は実質的に同じであるので、「目的」付箋１５７２の付箋ＩＤは「想い」付箋１５５６の付箋ＩＤであり、「アクション」付箋１５７４の付箋ＩＤは「行動」付箋１５５８の付箋ＩＤである。
そして、担当付箋ＩＤ欄７２０、期日付箋ＩＤ欄７２５、ステータス付箋ＩＤ欄７３０には、新規に作成された「担当」付箋１５７６、「期日」付箋１５７８、「ステータス」付箋１５８０の付箋ＩＤがそれぞれ記載される。これら３つの付箋の作成当初は空白（内容なし）である。
【００３４】
規則設定モジュール１１０は、台紙テンプレート記憶モジュール１０５、台紙間関係規則記憶モジュール１１５と接続されている。規則設定モジュール１１０は、規則を、第１の台紙の雛型（型、テンプレートとも言われる）における凡例と第２の台紙の雛型における凡例に対する操作によって設定する。ここでの操作として、ユーザーによる操作であってもよいし、予め定められた操作（デフォルトの操作を含む）であってもよい。
その凡例として付箋の凡例が用いられてもよい。その場合、規則設定モジュール１１０は、台紙間における凡例同士の接続によって、第２の台紙上で提示すべき第１の台紙上での付箋を指定するようにしてもよい。具体的には、図１４、図１５、図１６の例を用いて後述する。
【００３５】
台紙間関係規則記憶モジュール１１５は、規則設定モジュール１１０、付箋・台紙処理モジュール１２０の規則適用モジュール１３５と接続されている。台紙間関係規則記憶モジュール１１５は、規則設定モジュール１１０、規則適用モジュール１３５からアクセスされ、規則設定モジュール１１０で設定された台紙間の規則を記憶している。例えば、規則テーブル８００を記憶している。図８は、規則テーブル８００のデータ構造例を示す説明図である。規則テーブル８００は、規則ＩＤ欄８０５、台紙ＩＤ欄８１０、関連台紙ＩＤ欄８１５、関連付け数欄８２０、凡例カップル欄８２５を有しており、凡例カップル欄８２５は、台紙内凡例付箋ＩＤ欄８２６、関連台紙内凡例付箋ＩＤ欄８２７を有している。規則ＩＤ欄８０５は、本実施の形態において、規則を一意に識別するための情報（規則ＩＤ）を記憶している。台紙ＩＤ欄８１０は、台紙ＩＤを記憶している。関連台紙ＩＤ欄８１５は、台紙ＩＤ欄８１０の台紙ＩＤが示す台紙（第１の台紙又は第２の台紙）と関連する台紙（第２の台紙又は第１の台紙）の台紙ＩＤを記憶している。関連付け数欄８２０は、凡例間の関連付け数を記憶している。関連付け数欄８２０内の数だけ、凡例カップル欄８２５が関連付け数欄８２０以降に続く。凡例カップル欄８２５は、凡例カップル（凡例の組）を記憶している。第１の台紙における凡例付箋（台紙内凡例付箋ＩＤ欄８２６）と第２の台紙における凡例付箋（関連台紙内凡例付箋ＩＤ欄８２７）の組である。台紙内凡例付箋ＩＤ欄８２６は、第１の台紙内における凡例付箋ＩＤを記憶している。関連台紙内凡例付箋ＩＤ欄８２７は、第２の台紙である関連台紙内における凡例付箋ＩＤを記憶している。
【００３６】
規則適用モジュール１３５は、台紙間関係規則記憶モジュール１１５と接続されている。規則適用モジュール１３５は、台紙間関係規則記憶モジュール１１５に記憶されている第１の台紙上の付箋と第２の台紙上の付箋の関係を規定している規則（具体的には、台紙間関係規則記憶モジュール１１５内の規則テーブル８００）にしたがって、その第１の台紙に貼り付けられている付箋を、その第２の台紙上で提示するように、提示モジュール１４０を制御する。
【００３７】
提示モジュール１４０は、第１の台紙上の付箋と第２の台紙上の付箋の関係を規定している規則にしたがって、その第１の台紙に貼り付けられている付箋を、その第２の台紙上で提示する。
対象の付箋を第２の台紙に貼り付ける際に、第１の台紙上の付箋そのものを第２の台紙上で提示するようにしてもよいし、第１の台紙上の付箋の属性を変更して第２の台紙上で提示するようにしてもよい。例えば、付箋の色、大きさ等を変更するようにしてもよい。それらの変更についても、規則に規定されている。
【００３８】
図２は、本実施の形態を利用した付箋システムの構成例を示す説明図である。電子付箋制御装置１００は、一般的に大画面の表示装置を備えており、ファシリテーターによって操作される。この表示装置は、参加者全員が見ることができるものである。各電子付箋端末２５０は、会合における参加者によって操作され、一般的には、各参加者が１台ずつ所持している。例えば、電子付箋端末２５０として、タブレット型端末等が使用される。
図２の例では、会議室２８０Ａには、電子付箋制御装置１００Ａ、電子付箋端末２５０Ａ、電子付箋端末２５０Ｂ、電子付箋端末２５０Ｃが設置されており、会合が行われる。電子付箋制御装置１００Ａ、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。
また、会議室２８０Ｂには、電子付箋制御装置１００Ｂ、電子付箋端末２５０Ｄ、電子付箋端末２５０Ｅが設置されており、会合が行われる。電子付箋制御装置１００Ｂ、電子付箋端末２５０Ｄ、電子付箋端末２５０Ｅは、通信回線２９８を介してそれぞれ接続されている。
そして、ユーザー端末２１０Ａ、ユーザー端末２１０Ｂ、付箋情報記憶装置２９４、会議室２８０Ａ内の機器、会議室２８０Ｂ内の機器は、通信回線２９９を介してそれぞれ接続されている。また、付箋情報記憶装置２９４による機能は、クラウドサービスとして実現してもよい。
付箋情報記憶装置２９４は、付箋に関する情報を記憶している。いわゆる付箋データベースとしての機能を有しており、付箋記憶モジュール１５０としての機能を有している。各電子付箋制御装置１００は、付箋情報記憶装置２９４を用いて処理を行う。この場合、付箋情報記憶装置２９４内の付箋に関する情報を複数の電子付箋制御装置１００で共有してもよい。つまり、電子付箋制御装置１００Ａが管理している付箋に関する情報（付箋記憶モジュール１５０）を、電子付箋制御装置１００Ｂが利用できるようにしてもよい。
例えば、第１の台紙を会議室２８０Ａで用い、第２の台紙を会議室２８０Ｂで用いるようにしてもよい。会議室２８０Ａ内で、行動を示す第１の付箋が第１の台紙に貼り付けられると、会議室２８０Ｂ内で、第２の台紙上に、行わなければならない作業を示す第２の付箋が貼り付けられることになる。そして、会議室２８０Ｂ内で、担当者、期日等が決定されることになる。具体的には、空白の担当者付箋、期日付箋が、第２の台紙に貼り付けられるので、その内容を記載する。
また、ユーザー端末２１０のユーザーには、そのユーザーが担当者となっているＴｏＤｏ付箋の組（行わなければならない作業を示す第２の付箋、担当者付箋、期日付箋）が送信され、ユーザー端末２１０内の個人用の台紙上に貼り付けられる。
【００３９】
図３は、本実施の形態が使用される会議室等において、電子付箋端末２５０、電子付箋制御装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、端末装置（電子付箋端末２５０Ａ等）は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す電子付箋制御装置１００ｘは、プロジェクターであって、台紙及び付箋を表示する。また、電子付箋制御装置１００ｙは、電子白板であって、ファシリテーター３２１の指又はペン等の動きを検知して、付箋を台紙（表）に貼り付けること、付箋の移動、付箋の関連付け（グループ化）を行うこと等の操作を受け付けるものである。例えば、電子付箋制御装置１００ｙにペンが備えられており、そのペンが予め定められたペン置きから離れたこと（ファシリテーター３２１が操作するためにペンを持ち上げたこと）、そしてペンの先端の位置（ペン先端が電子付箋制御装置１００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、電子付箋制御装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしても構わない。
また、電子付箋制御装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００４０】
図９は、本実施の形態による処理例を示すフローチャートである。
ステップＳ９０２では、第１の台紙である台紙Ａのテンプレートを選択する。
ステップＳ９０４では、台紙Ａにおける台紙情報テーブル６００の台紙ＩＤ欄６０５〜作成者欄６２０を設定する。
ステップＳ９０６では、第２の台紙であるＴｏＤｏ管理台紙Ｂを対応付けるか否かを判断し、対応付ける場合はステップＳ９０８へ進み、それ以外の場合は処理を終了する（ステップＳ９９９）。
【００４１】
ステップＳ９０８では、ＴｏＤｏ管理台紙Ｂのテンプレートを選択する。
ステップＳ９１０では、ＴｏＤｏ管理台紙Ｂにおける台紙情報テーブル６００の台紙ＩＤ欄６０５〜作成者欄６２０を設定する。
ステップＳ９１２では、ユーザーの操作にしたがって、台紙Ａの凡例付箋とＴｏＤｏ管理台紙Ｂの凡例付箋とを関連付ける。
ステップＳ９１４では、ステップＳ９１２での操作にしたがって、規則テーブル８００を生成する。具体的に示すと、ステップＳ９１２による関連付け結果を、規則テーブル８００における凡例カップル欄８２５に記憶させる。図１０は、凡例カップル欄８２５内のデータ例を示す説明図である。例えば、１行目は、第１の台紙における「想い」付箋と第２の台紙における「目的」付箋が対応していることを示している。そして、２行目は、第１の台紙における「行動」付箋と第２の台紙における「アクション」付箋が対応していることを示している。
【００４２】
図１１は、本実施の形態による処理例を示すフローチャートである。
ステップＳ１１０２では、台紙Ａ内の付箋を受け付ける。
ステップＳ１１０４では、ステップＳ１１０２で受け付けた付箋は、規則テーブル８００内の凡例付箋に対応する付箋か否かを判断し、対応する付箋の場合はステップＳ１１０６へ進み、それ以外の場合はステップＳ１１１４へ進む。
ステップＳ１１０６では、付箋情報テーブル４００の関連台紙数欄４７５、関連台紙ＩＤ欄４８０、属性ＩＤ欄４８５に値を設定する。
【００４３】
ステップＳ１１０８では、規則テーブル８００にしたがって、属性情報テーブル５００を生成する。例えば、第２の台紙における凡例付箋（関連台紙内凡例付箋ＩＤ欄８２７）にしたがって、第２の付箋の属性を決定すればよい。
ステップＳ１１１０では、ＴｏＤｏ管理台紙Ｂの台紙情報テーブル６００に付箋を追加する。
ステップＳ１１１２では、台紙内ＴｏＤｏ情報管理テーブル７００を生成する。
ステップＳ１１１４では、通常付箋として、付箋を作成し、ステップＳ１１１６へ進む。
ステップＳ１１１６では、終了か否かを判断し、終了の場合は処理を終了し（ステップＳ１１９９）、それ以外の場合はステップＳステップＳ１１０２へ戻る。
【００４４】
図１２は、本実施の形態による処理例を示すフローチャートである。第２の台紙上に貼り付けられている付箋の変更を、第１の台紙の参加者に確認するものである。
ステップＳ１２０２では、ＴｏＤｏ管理台紙Ｂ上の付箋に変更があるか否かを判断し、変更がある場合はステップＳ１２０４へ進み、それ以外の場合は処理を終了する（ステップＳ１２９９）。例えば、アクション付箋を変更（行動変更）すること、担当者付箋を変更（担当者変更）すること、期日付箋を変更（期日変更）すること等が該当する。
ステップＳ１２０４では、台紙Ａは提示されているか否かを判断し、提示されている場合はステップＳ１２０６へ進み、それ以外の場合はステップＳ１２１４へ進む。もちろんのことながら、台紙Ａが提示されていない場合は、次にその台紙Ａが提示された場合は、ステップＳ１２０６以降の処理を行う。
【００４５】
ステップＳ１２０６では、台紙Ａにおける参加者に変更許可の申請を行う。例えば、行動変更（アクション変更）を許可するか否か、担当者変更を許可するか否か、期日変更を許可するか否か等が該当する。
ステップＳ１２０８では、台紙Ａにおける参加者によって変更が許可されたか否かを判断し、許可された場合はステップＳ１２１０へ進み、それ以外の場合はステップＳ１２１２へ進む。
ステップＳ１２１０では、台紙Ａ上の付箋に反映させる。
ステップＳ１２１２では、ＴｏＤｏ管理台紙Ｂ上に変更不許可のメッセージを提示する。
ステップＳ１２１４では、変更を保留する。
【００４６】
図１３は、本実施の形態による処理例を示すフローチャートである。第１の台紙上に貼り付けられている付箋の変更を、第２の台紙に反映させるものである。なお、図１２の例に示すフローチャートによる処理とは異なり、第２の台紙の参加者に確認することを不要としている。
ステップＳ１３０２では、台紙Ａ上の付箋に変更があるか否かを判断し、変更がある場合はステップＳ１３０４へ進み、それ以外の場合は処理を終了する（ステップＳ１３９９）。
【００４７】
ステップＳ１３０４では、ＴｏＤｏ管理台紙Ｂは提示されているか否かを判断し、提示されている場合はステップＳ１３０６へ進み、それ以外の場合は処理を終了する（ステップＳ１３９９）。もちろんのことながら、ＴｏＤｏ管理台紙Ｂが提示されていない場合は、次にそのＴｏＤｏ管理台紙Ｂが提示された場合は、台紙Ａ上の付箋に変更が、ＴｏＤｏ管理台紙Ｂ上の付箋に反映されている。
ステップＳ１３０６では、ＴｏＤｏ管理台紙Ｂ上の付箋に反映させる。
【００４８】
図１４は、本実施の形態による処理例を示す説明図である。
図１４（ａ）は、第１の台紙の雛型となる台紙Ａテンプレート１４１０を選択した例を示している。
画面１４００には、台紙Ａテンプレート１４１０を表示する。
台紙Ａテンプレート１４１０には、名前欄１４１２、目的欄１４１４、手法欄１４１６、凡例表示領域１４１８を表示し、凡例表示領域１４１８には、入力欄１４２０、出力欄１４２２を表示する。これらは、台紙Ａテンプレート１４１０による台紙の用い方等を説明したものである。
台紙Ａテンプレート１４１０は、内容を「名前欄１４１２：「ストーリーテリング」、目的欄１４１４：「個人の経験を紹介する」、手法欄１４１６：「ペアになって…する」、入力欄１４２０：「「テーマ」付箋１４３２」、出力欄１４２２：「「事実」付箋１４３４、「想い」付箋１４３６、「行動」付箋１４３８」」としている。
【００４９】
図１４（ｂ）は、第２の台紙の雛型となる入力欄１４２０を選択した例を示している。
画面１４００には、台紙Ｂテンプレート１４５０を表示する。
台紙Ｂテンプレート１４５０には、名前欄１４５２、目的欄１４５４、手法欄１４５６、凡例表示領域１４５８を表示し、凡例表示領域１４５８には、入力欄１４６０、出力欄１４６２を表示する。これらは、台紙Ｂテンプレート１４５０による台紙の用い方等を説明したものである。
台紙Ｂテンプレート１４５０は、内容を「名前欄１４５２：「アクションプラン」、目的欄１４５４：「目的達成の計画づくり」、手法欄１４５６：「ペアになって…する」、入力欄１４６０：「「目的」付箋１４７２」、出力欄１４６２：「「アクション」付箋１４７４、「担当」付箋１４７６、「期日」付箋１４７８、「ステータス」付箋１４８０」」としている。
【００５０】
図１４（ｃ）に示す例は、台紙Ａテンプレート１４１０と台紙Ｂテンプレート１４５０との関係（規則）を規定している。
画面１４００には、台紙Ａテンプレート１４１０、台紙Ｂテンプレート１４５０を表示し、台紙Ａテンプレート１４１０と台紙Ｂテンプレート１４５０は、関連付け線１４９０によって関連付けられている。ユーザーの操作によって関連付け線１４９０が生成され、台紙Ａテンプレート１４１０による台紙を第１の台紙とし、台紙Ｂテンプレート１４５０による台紙を第２の台紙としていることを示している。
【００５１】
図１５は、本実施の形態による処理例を示す説明図である。
図１５（ａ）に示す例は、台紙Ａテンプレート１４１０、台紙Ｂテンプレート１４５０内のそれぞれの凡例付箋を表示している。
画面１４００には、台紙Ａテンプレート１４１０、台紙Ｂテンプレート１４５０を表示する。
台紙Ａテンプレート１４１０には、「テーマ」付箋１４３２、「事実」付箋１４３４、「想い」付箋１４３６、「行動」付箋１４３８が貼り付けられている。
台紙Ｂテンプレート１４５０には、「目的」付箋１４７２、「アクション」付箋１４７４、「担当」付箋１４７６、「期日」付箋１４７８、「ステータス」付箋１４８０が貼り付けられている。
【００５２】
図１５（ｂ）に示す例は、凡例付箋間の関係（規則）を規定している。
台紙Ａテンプレート１４１０上の「想い」付箋１４３６と台紙Ｂテンプレート１４５０上の「目的」付箋１４７２は、対応付け線１５１２によって対応付けられている。ユーザーの操作によって対応付け線１５１２が生成され、「想い」付箋１４３６を「目的」付箋１４７２として、第２の台紙に貼り付けることを示している。
台紙Ａテンプレート１４１０上の「行動」付箋１４３８と台紙Ｂテンプレート１４５０上の「アクション」付箋１４７４は、対応付け線１５１４によって対応付けられている。ユーザーの操作によって対応付け線１５１４が生成され、「行動」付箋１４３８を「アクション」付箋１４７４として、第２の台紙に貼り付けることを示している。
【００５３】
図１５（ｃ）に示す例は、
画面１４００には、台紙Ａ：１５５０、台紙Ｂ：１５７０を表示する。台紙Ａ：１５５０は、台紙Ａテンプレート１４１０を元にして生成されたものである。台紙Ｂ：１５７０は、台紙Ｂテンプレート１４５０を元にして生成されたものである。
台紙Ａ：１５５０には、「テーマ」付箋１５５２、「事実」付箋１５５４、「想い」付箋１５５６、「行動」付箋１５５８、「事実」付箋１５６０、「事実」付箋１５６２、「想い」付箋１５６４、「行動」付箋１５６６、「事実」付箋１５６８が貼り付けられている。
台紙Ｂ：１５７０には、「目的」付箋１５７２、「アクション」付箋１５７４、「担当」付箋１５７６、「期日」付箋１５７８、「ステータス」付箋１５８０、「目的」付箋１５８２、「アクション」付箋１５８４、「担当」付箋１５８６、「期日」付箋１５８８、「ステータス」付箋１５９０が貼り付けられている。「目的」付箋１５７２、「アクション」付箋１５７４、「担当」付箋１５７６、「期日」付箋１５７８、「ステータス」付箋１５８０が１つのＴｏＤｏの組であり、「目的」付箋１５８２、「アクション」付箋１５８４、「担当」付箋１５８６、「期日」付箋１５８８、「ステータス」付箋１５９０が１つのＴｏＤｏの組である。
なお、１つの画面１４００に、台紙Ａ：１５５０と台紙Ｂ：１５７０の両方を表示しているが、前述したように、それぞれを別々の画面に表示するようにしてもよい。
【００５４】
ここで、「目的」付箋１５７２は、「想い」付箋１５５６を元にして生成されたものであり、内容は同じである。ただし、付箋の形態（属性）は異なっていてもよい。「目的」付箋１５８２は、「想い」付箋１５６４を元にして生成されたものであり、内容は同じである。ただし、付箋の形態（属性）は異なっていてもよい。「アクション」付箋１５７４は、「行動」付箋１５５８を元にして生成されたものであり、内容は同じである。ただし、付箋の形態（属性）は異なっていてもよい。「アクション」付箋１５８４は、「行動」付箋１５６６を元にして生成されたものであり、内容は同じである。ただし、付箋の形態（属性）は異なっていてもよい。なお、「担当」付箋１５７６、「期日」付箋１５７８、「ステータス」付箋１５８０、「担当」付箋１５８６、「期日」付箋１５８８、「ステータス」付箋１５９０は、空白の付箋である。
【００５５】
図１６は、本実施の形態による処理例を示す説明図である。
図１５（ｃ）では、空白であった「担当」付箋１５７６、「期日」付箋１５７８、「ステータス」付箋１５８０、「担当」付箋１５８６、「期日」付箋１５８８、「ステータス」付箋１５９０をユーザーの操作によって記入する。
図１６（ａ）に示す例は、それらの空白の付箋に記入したものである。
画面１４００には、台紙Ｂ：１５７０を表示する。
台紙Ｂ：１５７０には、「目的」付箋１５７２、「アクション」付箋１５７４、「担当」付箋１５７６Ｂ、「期日」付箋１５７８Ｂ、「ステータス」付箋１５８０Ｂ、「目的」付箋１５８２、「アクション」付箋１５８４、「担当」付箋１５８６Ｂ、「期日」付箋１５８８Ｂ、「ステータス」付箋１５９０Ｂが貼り付けられている。
【００５６】
図１６（ｂ）に示す例は、ＴｏＤｏ付箋を担当者毎に並び換えたものである。
画面１４００には、担当者Ｘ用ＴｏＤｏ領域１６１０、担当者Ｙ用ＴｏＤｏ領域１６４０を表示する。
担当者Ｘ用ＴｏＤｏ領域１６１０には、「担当者Ｘ」付箋１６１２、「目的」付箋１６１４、「アクション」付箋１６１６、「期日」付箋１６１８、「ステータス」付箋１６２０の組、「目的」付箋１６２２、「アクション」付箋１６２４、「期日」付箋１６２６、「ステータス」付箋１６２８の組が貼り付けられている。
担当者Ｙ用ＴｏＤｏ領域１６４０には、「担当者Ｙ」付箋１６４２、「目的」付箋１６４４、「アクション」付箋１６４６、「期日」付箋１６４８、「ステータス」付箋１６５０の組、「目的」付箋１６５２、「アクション」付箋１６５４、「期日」付箋１６５６、「ステータス」付箋１６５８の組、「目的」付箋１６６０、「アクション」付箋１６６２、「期日」付箋１６６４、「ステータス」付箋１６６６の組が貼り付けられている。
【００５７】
図１７は、本実施の形態による処理例を示す説明図である。
担当者のユーザー端末２１０上で、ＴｏＤｏ管理プログラムで付箋の内容を表示したものである。
画面１７００には、担当者表示領域１７１０、ＴｏＤｏ一覧表示領域１７２０を表示する。
ＴｏＤｏ一覧表示領域１７２０には、目的欄１７２２、アクション欄１７２４、ステータス欄１７２６を表示する。
目的欄１７２２には、目的（目的付箋の内容）を表示する。アクション欄１７２４には、アクション（アクション付箋の内容）を表示する。ステータス欄１７２６には、ステータス（ステータス付箋の内容）を表示する。もちろんのことながら、そのユーザーが担当しているＴｏＤｏ付箋だけの内容を表示している。
そして、ＴｏＤｏ一覧表示領域１７２０内がユーザーによって書き換えられると、対応する付箋が書き換えられ、第２の台紙上に反映され、図１２の例に示したフローチャートの処理例によって、第１の台紙上にも反映され得る。また、ユーザーは、ステータス欄１７２６の内容だけを書き換え可能としてもよい。つまり、目的欄１７２２、アクション欄１７２４は書き換え不可としてもよい。
【００５８】
なお、本実施の形態としてのプログラムが実行されるコンピュータのハードウェア構成は、図１８に例示するように、一般的なコンピュータであり、具体的にはパーソナルコンピュータ、サーバーとなり得るコンピュータ等である。つまり、具体例として、処理部（演算部）としてＣＰＵ１８０１を用い、記憶装置としてＲＡＭ１８０２、ＲＯＭ１８０３、ＨＤ１８０４を用いている。ＨＤ１８０４として、例えばハードディスク、ＳＳＤ（Ｓｏｌｉｄ  Ｓｔａｔｅ  Ｄｒｉｖｅ）を用いてもよい。規則設定モジュール１１０、付箋・台紙処理モジュール１２０、台紙生成モジュール１２５、付箋生成モジュール１３０、規則適用モジュール１３５、提示モジュール１４０等のプログラムを実行するＣＰＵ１８０１と、そのプログラムやデータを記憶するＲＡＭ１８０２と、本コンピュータを起動するためのプログラム等が格納されているＲＯＭ１８０３と、台紙テンプレート記憶モジュール１０５、台紙間関係規則記憶モジュール１１５、台紙記憶モジュール１４５、付箋記憶モジュール１５０としての機能を有する補助記憶装置（フラッシュ・メモリ等であってもよい）であるＨＤ１８０４と、キーボード、マウス、タッチスクリーン、マイク、カメラ（視線検知カメラ等を含む）等に対する利用者の操作（動作、音声、視線等を含む）に基づいてデータを受け付ける受付装置１８０６と、ＣＲＴ、液晶ディスプレイ、スピーカー等の出力装置１８０５と、ネットワークインタフェースカード等の通信ネットワークと接続するための通信回線インタフェース１８０７、そして、それらをつないでデータのやりとりをするためのバス１８０８により構成されている。これらのコンピュータが複数台互いにネットワークによって接続されていてもよい。
【００５９】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１８に示すハードウェア構成は、１つの構成例を示すものであり、本実施の形態は、図１８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１８に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６１】
１００…電子付箋制御装置
１０５…台紙テンプレート記憶モジュール
１１０…規則設定モジュール
１１５…台紙間関係規則記憶モジュール
１２０…付箋・台紙処理モジュール
１２５…台紙生成モジュール
１３０…付箋生成モジュール
１３５…規則適用モジュール
１４０…提示モジュール
１４５…台紙記憶モジュール
１５０…付箋記憶モジュール
２１０…ユーザー端末
２５０…電子付箋端末
２８０…会議室
２９４…付箋情報記憶装置
２９８、２９９…通信回線
【図１】
2018180800.tif 000003
【図２】
2018180800.tif 000004
【図３】
2018180800.tif 000005
【図４】
2018180800.tif 000006
【図５】
2018180800.tif 000007
【図６】
2018180800.tif 000008
【図７】
2018180800.tif 000009
【図８】
2018180800.tif 000010
【図９】
2018180800.tif 000011
【図１０】
2018180800.tif 000012
【図１１】
2018180800.tif 000013
【図１２】
2018180800.tif 000014
【図１３】
2018180800.tif 000015
【図１４】
2018180800.tif 000016
【図１５】
2018180800.tif 000017
【図１６】
2018180800.tif 000018
【図１７】
2018180800.tif 000019
【図１８】
2018180800.tif 000020